(57)【要約】【課題】表示部の表示画像を視認するためのユーザの負担を軽減させることができ、表示部における表示画像の視認性を向上させることができる情報処理装置、時計、情報処理装置の制御方法、制御プログラム及び記録媒体を提供する。【解決手段】情報処理装置において、回転ベゼル１３と、画像を表示する表示パネル１２と、この表示パネル１２に表示している画像を、回転ベゼル１３の操作量に応じて回転させるＭＰＵ１００とを備えた。【選択図】      図６
2005017011.tif 000002
【特許請求の範囲】
【請求項１】
操作子と、
画像を表示する表示部と、
この表示部に表示している画像を、前記操作子の操作量に応じて回転させる表示制御部とを備えたことを特徴とする情報処理装置。
【請求項２】
請求項１に記載の情報処理装置において、
前記表示制御部は、前記表示部に表示している画像のうち少なくとも一部を回転させることを特徴とする情報処理装置。
【請求項３】
請求項１又は２に記載の情報処理装置において、
前記表示制御部は、前記表示部に画像としてアナログ時計を表示するに際し、前記アナログ時計を前記操作子の操作量に応じて回転させることを特徴とする情報処理装置。
【請求項４】
請求項１又は２に記載の情報処理装置において、
前記表示部を背景とする位置に配置される機械式アナログ時計の指針と、
前記指針を回転駆動する指針駆動部とを備え、
前記表示制御部は、前記表示部に画像としてアナログ時計のアワーマーカを表示するに際し、前記アワーマーカを、前記操作子の操作量に応じて前記指針の回転軸を中心に回転させて再配置し、
前記指針駆動部は、前記アワーマーカの再配置位置に追従した位置に前記指針を回転させることを特徴とする情報処理装置。
【請求項５】
請求項１乃至４のいずれか一項に記載の情報処理装置において、
前記表示制御部は、前記操作子の操作量に応じて前記表示部に表示している文字、記号或いは符号のデザインを変化させることを特徴とする情報処理装置。
【請求項６】
請求項１乃至４のいずれか一項に記載の情報処理装置において、
前記表示制御部は、前記操作子の操作量に応じて前記表示部に表示している文字、記号或いは符号のフォントを変化させることを特徴とする情報処理装置。
【請求項７】
請求項１乃至３のいずれか一項に記載の情報処理装置において、
前記表示制御部は、前記表示部に画像としてアナログ時計を表示するに際し、前記操作子の操作量に応じて当該アナログ時計の指針の長さを変化させることを特徴とする情報処理装置。
【請求項８】
請求項１乃至３のいずれか一項に記載の情報処理装置において、
前記表示制御部は、前記表示部に画像としてアナログ時計を表示するに際し、前記操作子の操作量に応じて当該アナログ時計のアワーマーカの種類或いはアワーマーカの大きさを変化させることを特徴とする情報処理装置。
【請求項９】
請求項１乃至８のいずれか一項に記載の情報処理装置において、
前記操作子は、回転操作が可能であり、
前記表示制御部は、前記操作量として、前記操作子の回転量、回転方向或いは回転速度のうち少なくともいずれか一つに対応させることを特徴とする情報処理装置。
【請求項１０】
請求項９に記載の情報処理装置において、
前記操作子が、回転ベゼルであることを特徴とする情報処理装置。
【請求項１１】
請求項１乃至１０のいずれか一項に記載の情報処理装置において、
前記表示制御部は、回転させる画像として、ダイバーが潜水時間を把握するための画像を前記表示部に表示することを特徴とする情報処理装置。
【請求項１２】
請求項１乃至１１のいずれか一項に記載の情報処理装置を備えたことを特徴とする時計。
【請求項１３】
操作子と、画像を表示する表示部とを備えた情報処理装置の制御方法において、
前記操作子の操作量を測定する操作量測定過程と、
前記表示部に表示している画像を、前記操作子の操作量に応じて回転させる表示制御過程とを備えたことを特徴とする情報処理装置の制御方法。
【請求項１４】
請求項１３に記載の情報処理装置の制御方法において、
前記表示制御過程は、前記表示部に表示している画像のうち少なくとも一部を回転させることを特徴とする情報処理装置の制御方法。
【請求項１５】
請求項１３又は１４に記載の情報処理装置の制御方法において、
前記表示制御過程は、前記表示部に画像としてアナログ時計を表示するに際し、前記アナログ時計を前記操作子の操作量に応じて回転させることを特徴とする情報処理装置の制御方法。
【請求項１６】
請求項１３乃至１５のいずれか一項に記載の情報処理装置の制御方法において、
前記表示制御過程は、前記操作子の操作量に応じて前記表示部に表示している文字、記号或いは符号のデザインを変化させることを特徴とする情報処理装置の制御方法。
【請求項１７】
請求項１３乃至１５のいずれか一項に記載の情報処理装置の制御方法において、
前記表示制御過程は、前記操作子の操作量に応じて前記表示部に表示している文字、記号或いは符号のフォントを変化させることを特徴とする情報処理装置の制御方法。
【請求項１８】
請求項１３乃至１７のいずれか一項に記載の情報処理装置の制御方法において、
前記表示制御過程は、前記表示部に画像としてアナログ時計を表示するに際し、前記操作子の操作量に応じて当該アナログ時計の指針の長さを変化させることを特徴とする情報処理装置の制御方法。
【請求項１９】
請求項１３乃至１７のいずれか一項に記載の情報処理装置の制御方法において、
前記表示制御過程は、前記表示部に画像としてアナログ時計を表示するに際し、前記操作子の操作量に応じて当該アナログ時計のアワーマーカの種類或いはアワーマーカの大きさを変化させることを特徴とする情報処理装置の制御方法。
【請求項２０】
操作子と、画像を表示する表示部とを有する情報処理装置をコンピュータにより制御するための制御プログラムにおいて、
前記操作子の操作量を測定させ、
前記表示部に表示している画像を、前記操作子の操作量に応じて回転させることを特徴とする制御プログラム。
【請求項２１】
請求項２０に記載の制御プログラムを記録したことを特徴とするコンピュータ読取可能な記録媒体。
【発明の詳細な説明】
【０００１】
【発明の属する技術分野】
本発明は、情報処理装置、時計、情報処理装置の制御方法、制御プログラム及び記録媒体に係り、特に、表示部に画像を表示する情報処理装置、時計、情報処理装置の制御方法、制御プログラム及び記録媒体に関する。
【従来の技術】
従来、アワーマーカが記された文字盤などの周囲に、リング状の回転ベゼルを回転可能に設けた時計が知られている（例えば、特許文献１参照）。
従来この種の回転ベゼルは、純粋にデザイン的なものであるか、或いは、ダイバーズウォッチのように潜水時間をダイバーが把握するためのように専ら実用的な観点から設けられていた。
近年、表示部を備えた情報処理装置において、表示部に時計表示する時計機能を備えたものがある。そして、情報処理装置の小型化の要請が高まり、回転ベゼルを備えた腕時計型情報処理装置が提案されている（例えば、特許文献２参照）。
【０００２】
【特許文献１】
特開平８−１１０３８２号公報
【特許文献２】
特開２００１−３４４０３９号公報
【０００３】
【発明が解決しようとする課題】
ところで、上記情報処理装置において、表示部に表示される時刻等の画像は、情報処理装置の置かれる状態によっては、ユーザにとって見づらい場合が生じるという問題点がある。例えば、腕時計型情報処理装置において、ユーザが腕時計型情報処理装置を腕に装着し、腕を伸ばした状態で表示部を視認すると、表示画像を正立した状態で視認できず、見づらいという問題点がある。具体例を説明すると、水中のダイバーや二輪車或いは四輪車等のドライバーが腕時計型情報処理装置を腕に装着した場合においては、腕を伸ばした状態となることが多く、このような状態で表示部を視認すると、表示画像を正立した状態で視認できず、見づらいという問題点がある。従って、ユーザが表示画像を正立した状態で視認するには、腕時計型情報処理装置を装着した腕を曲げなければならない。特に、ダイバーが潜水中にこの様な動作を行うと、疲労を増加させることとなり、ダイバーの浮沈管理にも悪影響を及ぼしかねない。
そこで、本発明の目的は、表示部の表示画像を視認するためのユーザの負担を軽減させることができ、表示部における表示画像の視認性を向上させることができる情報処理装置、時計、情報処理装置の制御方法、制御プログラム及び記録媒体を提供することにある。
【０００４】
【課題を解決するための手段】
上記課題を解決するため、情報処理装置は、操作子と、画像を表示する表示部と、この表示部に表示している画像を、前記操作子の操作量に応じて回転させる表示制御部とを備えたことを特徴としている。
この場合において、前記表示制御部は、前記表示部に表示している画像のうち少なくとも一部を回転させるようにしてもよい。
また、前記表示制御部は、前記表示部に画像としてアナログ時計を表示するに際し、前記アナログ時計を前記操作子の操作量に応じて回転させるようにしてもよい。
更に、前記表示部を背景とする位置に配置される機械式アナログ時計の指針と、前記指針を回転駆動する指針駆動部とを備え、前記表示制御部は、前記表示部に画像としてアナログ時計のアワーマーカを表示するに際し、前記アワーマーカを、前記操作子の操作量に応じて前記指針の回転軸を中心に回転させて再配置し、前記指針駆動部は、前記アワーマーカの再配置位置に追従した位置に前記指針を回転させるようにしてもよい。
【０００５】
更にまた、前記表示制御部は、前記操作子の操作量に応じて前記表示部に表示している文字、記号或いは符号のデザインを変化させるようにしてもよい。
また、前記表示制御部は、前記操作子の操作量に応じて前記表示部に表示している文字、記号或いは符号のフォントを変化させるようにしてもよい。
更に、前記表示制御部は、前記表示部に画像としてアナログ時計を表示するに際し、前記操作子の操作量に応じて当該アナログ時計の指針の長さを変化させるようにしてもよい。
更にまた、前記表示制御部は、前記表示部に画像としてアナログ時計を表示するに際し、前記操作子の操作量に応じて当該アナログ時計のアワーマーカの種類或いはアワーマーカの大きさを変化させるようにしてもよい。
また、前記操作子は、回転操作が可能であり、前記表示制御部は、前記操作量として、前記操作子の回転量、回転方向或いは回転速度のうち少なくともいずれか一つに対応させるようにしてもよい。
更に、前記操作子が、回転ベゼルであってもよい。
更にまた、前記表示制御部は、回転させる画像として、ダイバーが潜水時間を把握するための画像を前記表示部に表示するようにしてもよい。
【０００６】
また、時計が上記情報処理装置を備えたことを特徴としている。
また、操作子と、画像を表示する表示部とを備えた情報処理装置の制御方法において、前記操作子の操作量を測定する操作量測定過程と、前記表示部に表示している画像を、前記操作子の操作量に応じて回転させる表示制御過程とを備えたことを特徴としている。
この場合において、前記表示制御過程は、前記表示部に表示している画像のうち少なくとも一部を回転させるようにしてもよい。
また、前記表示制御過程は、前記表示部に画像としてアナログ時計を表示するに際し、前記アナログ時計を前記操作子の操作量に応じて回転させるようにしてもよい。
【０００７】
更に、前記表示制御過程は、前記操作子の操作量に応じて前記表示部に表示している文字、記号或いは符号のデザインを変化させるようにしてもよい。
更にまた、前記表示制御過程は、前記操作子の操作量に応じて前記表示部に表示している文字、記号或いは符号のフォントを変化させるようにしてもよい。
また、前記表示制御過程は、前記表示部に画像としてアナログ時計を表示するに際し、前記操作子の操作量に応じて当該アナログ時計の指針の長さを変化させるようにしてもよい。
更に、前記表示制御過程は、前記表示部に画像としてアナログ時計を表示するに際し、前記操作子の操作量に応じて当該アナログ時計のアワーマーカの種類或いはアワーマーカの大きさを変化させるようにしてもよい。
また、操作子と、画像を表示する表示部とを有する情報処理装置をコンピュータにより制御するための制御プログラムは、前記操作子の操作量を測定させ、前記表示部に表示している画像を、前記操作子の操作量に応じて回転させることを特徴としている。
また、この制御プログラムをコンピュータ読取可能な記録媒体に記録したことを特徴としている。
【０００８】
【発明の実施の形態】
次に本発明の好適な実施の形態について図面を参照して説明する。
［１］第１実施形態
図１は、第１実施形態の腕時計型情報処理装置１０の外観構成を示す図である。本第１実施形態において、この腕時計型情報処理装置１０は、ダイバーが潜水時に使用可能なダイバーズ用情報処理装置である。
腕時計型情報処理装置１０は、大別すると、ケース１１と、表示パネル１２と、回転ベゼル１３と、バンド１４とを備えている。ケース１１は、後述する各種センサ、マイクロコンピュータなどを格納するものであり、金属或いはプラスチックから形成されている。表示パネル１２は、時刻などの各種情報などの各種画面を表示するものであり、例えば、液晶ディスプレイ、有機ＥＬディスプレイといったドットマトリクス方式の薄型ディスプレイで構成されている。この表示パネル１２は、円形状である。回転ベゼル１３は、表示パネル１２を囲むリング状（円環状）の部材であり、ケース本体１１Ａ（図３参照）に対して摺動可能に配置され、これにより、表示パネル１２を略中心として回転する。バンド１４は、ユーザが腕時計型情報処理装置１０を身体（主に腕等）に装着するために用いられる。尚、この他にも腕時計型情報処理装置１０は、ケース１１の側面等に配設されたボタンスイッチ（押下式スイッチ）などの入力部４０（図６参照）を備えている。
【０００９】
次いで、腕時計型情報処理装置１０内部の機械的構成について図２及び図３を参照して説明する。図２は腕時計型情報処理装置１０から回転ベゼル１３を取り外した状態を示す図であり、図３は、図２におけるＡ−Ａ’線の断面の一部を示す図である。
図３に示すように、ケース１１は、ケース本体１１Ａと、このケース本体１１Ａの下面を塞ぐ裏蓋１１Ｃとを備えている。ケース本体１１Ａにおける裏蓋１１Ｃの内側の空間には、回路基板やこの回路基板上の回路に電源電圧を供給する二次電池（いずれも不図示）を収納する回路ユニット１５が設けられている。また、ケース本体１１Ａの上面であって、回転ベゼル１３の内周側には、カバーガラス１１Ｂが嵌め込まれており、このカバーガラス１１Ｂの下面側に、上述の表示パネル１２が配置されている。図２及び図３に示すように、ケース本体１１Ａの上部には、円周状に溝３４が形成されている。一方、図３に示すように、回転ベゼル１３の下面には、下側に突出する突条４６が形成され、この突条４６が溝３４に摺動可能に嵌合されている。回転ベゼル１３の側面とケース本体１１Ａとが接触する面には、Ｏリング４７が設けられ、回転ベゼル１３とケース本体１１Ａとの隙間から水や光などが腕時計型情報処理装置１０内部へ侵入するのが防止されている。
【００１０】
図２に示すように、ケース本体１１Ａには、２つの孔５１Ａ、５１Ｂが穿たれており、これらの孔５１Ａ、５１Ｂ内に第１センサユニット３７Ａと、第２センサユニット３７Ｂとがそれぞれ配置されている。ここで、第１センサユニット３７Ａと回転ベゼル１３の回転中心Ｏとを結ぶ線と、第２センユニット３７Ｂと回転中心Ｏとを結ぶ線とが角度θ１をなすように第１センサユニット３７Ａ及び第２センサユニット３７Ｂがそれぞれ配置されているが、この角度θ１については後述することにする。
【００１１】
次いで、第１センサユニット３７Ａ及び第２センサユニット３７Ｂの構成について図３を参照して説明する。尚、第１及び第センサユニット３７Ａ、３７Ｂの構成は略同様であり説明が重複するのを避けるため、第１センサユニット３７Ａの構成についてのみ説明する。図３に示すように、回転ベゼル１３の下面には、回転ベゼル１３の回転を検出するための光学パターン４１が形成されており、この光学パターン４１が形成された面の下方には、センサカバーガラス４２がケース本体１１Ａに取り付けられている。ケース本体１１Ａとセンサカバーガラス４２の間にはパッキン４３が配設されており、これによりセンサカバーガラス４２の下部への水等の侵入が防止されるようになっている。
【００１２】
また、センサカバーガラス４２の下方には、第１センサユニット３７Ａが配設されている。第１センサユニット３７Ａは、ＬＥＤ（Ｌｉｇｈｔ  Ｅｍｉｔｔｉｎｇ  Ｄｉｏｄｅ）４４と、フォトダイオード４５と、遮光板４４ａと、基板４８とを備えている。ＬＥＤ４４は、上記光学パターン４１に向けて光を照射するものであり、フォトダイオード４５は、光学パターン４１における反射光を受光するものである。遮光板４４ａは、ＬＥＤ４４からの光がフォトダイオード４５に直接受光されるのを防止するためのものであり、ＬＥＤ４４とフォトダイオード４５との間に配置される。基板４８は、フォトダイオード４５による受光量に応じて検出信号を生成し、後述するＭＰＵ１００（図６参照）に出力するものである。第１センサユニット３７Ａの基板４８の下側には、接点バネ４９が設けられており、この接点バネ４９により第１センサユニット３７Ａと回路ユニット１５に格納された回路基板とが電気的に接続されている。尚、接点バネ４９の代わりにリード線を設けるようにしてもよい。
【００１３】
この構成において、第１センサユニット３７Ａ及び第２センサユニット３７Ｂの各々が出力する検出信号に基づいて回転ベゼル１３の回転量（即ち、回転角度）及び回転方向（必要に応じて回転速度）が検出される。以下、回転ベゼル１３の回転検出の原理について図４及び図５を参照して説明する。図４は光学パターン４１の構成を示す図であり、図５は光学パターン４１を読み取ったときに第１及び第２センサユニット３７Ａ、３７Ｂの各々から出力される検出信号を模式的に示す図である。
【００１４】
図４に示すように、回転ベゼル１３の下面の外周部に形成された光学パターン４１は、円状の軌道に沿って、ＬＥＤ４４（図３）の照射する光を吸収する吸収領域４１ａとＬＥＤ４４の光を反射する反射領域４１ｂとが交互に繰り返し並んだ構成となっている。ここで、吸収領域４１ａ又は反射領域４１ｂの中心から回転ベゼル１３の回転中心Ｏに至る線分とその領域に隣接する反射領域４１ｂ又は吸収領域４１ａの中心から回転中心Ｏに至る線分とがなす角度はいずれもθ２である。即ち、上述した回転ベゼル１３の回転を３６０［゜］をｎ分割（ｎは偶数）して検出する場合には、θ２＝３６０／ｎ［゜］となる。この構成において、第１センサユニット３７Ａは、ユーザが回転ベゼル１３を回転させたときに、図４に示す光学パターン４１の吸収領域４１ａと反射領域４１ｂとを交互に読み取ることで、図５に示すような略正弦波形を有する検出信号（以下、「第１検出信号Ａ」という）を出力する。また、第２センサユニット３７Ｂも同様に、略正弦波形を有する検出信号（以下、「第２検出信号Ｂ」という）を出力する。
【００１５】
ここで、本第１実施形態では、上述した角度θ１は、θ１＝θ２＋θ２／２となるように設定され、この角度θ１に従って第１センサユニット３７Ａ及び第２センサユニット３７Ｂが配置されている。これにより、回転ベゼル１３がユーザにより回転させられた場合には、第１センサユニット３７Ａが生成する第１検出信号Ａと第２センサユニット３７Ｂが生成する第２検出信号Ｂとの間に１／４周期の位相差が生じることになる。具体的には、図５に示すように、回転ベゼル１３を時計回りに回転させた場合には、第２センサユニット３７Ｂの生成する第２検出信号Ｂには、第１センサユニット３７Ａの生成する第１検出信号Ａに対して１／４周期の位相進みが生じる。また、これとは逆に、回転ベゼル１３を反時計回りに回転させた場合には、第２センサユニット３７Ｂの生成する第２検出信号Ｂには、第１センサユニット３７Ａの生成する第１検出信号Ａに対して１／４周期の位相遅れが生じることになる。従って、このような位相遅れ・位相進みを検知することによって回転ベゼル１３の回転方向を検出することが可能となっている。
【００１６】
次いで、腕時計型情報処理装置１０の電気的構成について説明する。図６は、腕時計型情報処理装置１０の機能的構成を示すブロック図である。この図において、ＭＰＵ１００は、表示パネル１２の表示制御などの腕時計型情報処理装置１０全体の制御を行う。ＲＯＭ１０１は、ＭＰＵ１００により実行される制御プログラムなどの各種プログラムをあらかじめ格納している。ＲＡＭ１０２は、ＭＰＵ１００のワークエリアとして用いられるものであり、各種データやＭＰＵ１００の計算結果を一時的に記憶する。入力部４０は、ケース本体１１Ａの側面などに設けられたボタンスイッチであり、時刻修正や、後述する動作モードの切り換えなどに用いられる。
【００１７】
発振回路１１１は、図示しない水晶発振器を備え、所定周波数（例えば３２７６８Ｈｚ）の基準発振信号を生成し分周回路１１２に出力する。分周回路１１２は、基準発振信号を分周して、例えば、１Ｈｚの計時用基準信号を生成し、時計用カウンタ１１３に出力する。時計用カウンタ１１３は、計時用基準信号に基づいて時計表示用のカウント信号である計時用カウント信号をＭＰＵ１００に出力する。ＭＰＵ１００は、この計時用カウント信号に基づいて時刻を計時し、表示パネル１２に表示する。尚、時刻表示の態様としては、図１に示すように、時刻表示針（時針、分針、秒針）によるアナログ表示であってもよいし、或いは、数字によるディジタル表示であってもよい。また、時刻がアナログ表示される場合には、時刻の認識を容易とすべく、図１に示すように、時計の文字盤に相当するアワーマーカの表示を併せて行う構成が望ましい。
【００１８】
次いで図６において、波形整形回路１１８は、センサユニット３７Ａ、３７Ｂからの第１検出信号Ａ及び第２検出信号Ｂに対して波形整形を行い、回転ベゼル１３の回転状態に応じた複数のパルス信号を回転情報生成ユニット１１９に出力するものである。回転情報生成ユニット１１９は、波形整形回路１１８から出力された複数のパルス信号をそれぞれカウントし、回転ベゼル１３の回転状態（回転量、回転方向、回転速度など）に対応する回転情報を生成し、回転情報データとしてＭＰＵ１００に出力する。より具体的には、回転情報生成ユニット１１９は、第１検出信号Ａに基づくパルス信号の立ち上がりタイミングが、第２検出信号Ｂに基づくパルス信号の立ち上がりタイミングよりも早いか否かで回転ベゼル１３の回転方向を検知する。即ち、上述のように、回転ベゼル１３が時計回りに回転する場合には、第２検出信号Ｂが第１検出信号Ａよりも位相進むため、第１検出信号Ａに基づくパルス信号の立ち上がりタイミングが第２検出信号に基づくパルスの立ち上がりタイミングよりも遅ければ、回転ベゼル１３が時計回りに回転していると検知される。また、これとは逆に、第１検出信号Ａに基づくパルス信号の立ち上がりタイミングが第２検出信号に基づくパルスの立ち上がりタイミングよりも早ければ、回転ベゼル１３が反時計回りに回転していると検知される。また、回転ベゼル１３の回転量は、パルス信号のパルス数から検知され、回転速度は、パルス信号の出力間隔或いはパルス信号のパルス幅から検知されることになる。
【００１９】
光センサ１２０は、周囲の明るさを検出するために腕時計型情報処理装置１０に備えられ、光検出結果を、ＭＰＵ１００に出力する。ＭＰＵ１００は、光センサ１２０の検出結果に基づいて表示パネル１２の輝度を設定する。例えば、ＭＰＵ１００は、表示パネル１２が液晶ディスプレイである場合、光センサ１２０の検出結果に基づいて不図示のバックライトの輝度を設定し、また、表示パネル１２が有機ＥＬディスプレイの場合、光センサ１２０の検出結果に基づいて有機ＥＬディスプレイの輝度を設定する。具体的には、ＭＰＵ１００は、光センサ１２０の検出結果が、周囲が暗い状態に対応する値のとき、表示パネル１２の輝度を、暗所においても表示パネル１２の表示画像が見やすくなる程度の輝度（第１の輝度）に設定する。これによって、例えば水中等の暗い場所においては、表示パネル１２に表示された画像の視認性が向上する。また、ＭＰＵ１００は、光センサ１２０の検出結果が、周囲が明るい状態に対応する値のとき、表示パネル１２の輝度を、第１の輝度よりも小さい第２の輝度に設定する。これによって、消費電力を削減することができる。この光センサ１２０は、可視光センサであるのが望ましい。
【００２０】
次に第１実施形態における腕時計型情報処理装置１０の動作について説明する。図７は、動作モードの遷移状態を示す説明図である。
本第１実施形態において、動作モードとしては、表示モード、潜水時間設定モード、及び回転表示設定モードがある。それぞれの動作モードについては、後に詳述する。
腕時計型情報処理装置１０は、初期状態として、動作モードが表示モードに設定されているものとする（ステップＳ１）。動作モードが表示モードのとき、ＭＰＵ１００は、表示パネル１２に時刻等の種々の画像を表示させる。この表示モードのとき、回転ベゼル１３がユーザにより回転操作されたとしても、表示パネル１２における表示画像は回転ベゼル１３の回転により変化することはない。入力部４０において潜水時間設定モードに対応するボタンスイッチなどの操作子がユーザにより操作された場合、ＭＰＵ１００は、動作モードを潜水時間設定モードに設定する（ステップＳ２）。また、入力部４０において回転表示設定モードに対応するボタンスイッチなどの操作子がユーザにより操作された場合、ＭＰＵ１００は、動作モードを回転表示設定モードに設定する（ステップＳ３）。そして、潜水時間設定モード或いは回転表示設定モードにおける処理動作終了後、ＭＰＵ１００は、動作モードをステップＳ１における表示モードに設定する。
【００２１】
次に、潜水時間設定モードに設定された場合について説明する。図８は、潜水時間設定モードに設定されたときの処理フローチャートである。また、図９は、潜水時間設定モードに設定されたときの表示態様の変化の説明図である。
この潜水時間設定モードにおいて、ＭＰＵ１００は、図９の表示状態ＳＴ１１に示すように、表示パネル１２にユーザが潜水時間を把握するための分目盛りと分を示す数字とを有する目盛り部Ｘを、表示パネル１２の内周に沿ってリング状に表示させる処理を行う（ステップＳ１１）。この目盛り部Ｘは、通常のダイバーズ用情報処理装置の回転ベゼルに記されている潜水時間を把握するための分目盛り及び分を示す数字に相当する。この目盛り部Ｘは、表示パネル１２における表示画像の一部である。ここで、表示パネル１２におけるリング状の目盛り部Ｘの内側には、アナログ時計の表示画像としての時計部Ｙが表示される。
【００２２】
そして、ＭＰＵ１００は、回転ベゼル１３の操作量として回転方向及び回転量（さらに必要に応じて回転速度）を測定する（ステップＳ１２）。具体的には、ＭＰＵ１００は、回転情報生成ユニット１１９の出力データに基づいて回転方向及び回転量を間接的に測定することとなる。
続いて、ＭＰＵ１００は、回転ベゼル１３の回転方向及び回転量に応じて目盛り部Ｘの回転表示処理を行う（ステップＳ１３）。即ち、ＭＰＵ１００は、目盛り部Ｘのリングの中心を回転中心Ｚ（図９）として、回転ベゼル１３の回転方向及び回転量に応じて目盛り部Ｘを回転表示させる。ここで、目盛り部Ｘは、表示状態ＳＴ１２及びＳＴ１３に示すように、回転ベゼル１３の回転方向と同一回転方向、且つ、回転ベゼル１３の回転角と同一回転角で回転表示されるのが望ましい。つまり、回転ベゼル１３が反時計方向に操作された場合、目盛り部Ｘは、操作状態ＳＴ１２に示すように、反時計方向に回転ベゼル１３の回転角と同一回転角で回転表示される。同様に、回転ベゼル１３が時計方向に操作された場合、目盛り部Ｘは、操作状態ＳＴ１３に示すように、時計方向に回転ベゼル１３の回転角と同一回転角で回転表示される。これによって、回転ベゼル１３の回転に追従するように表示パネル１２における目盛り部Ｘが回転表示されるので、ユーザはより一体的な操作感を得ることができる。
【００２３】
そして、ＭＰＵ１００は、回転ベゼル１３の操作が完了したか否かを、回転ベゼル１３の操作が停止してからの経過時間、或いは、他のスイッチなどの操作状態に基づいて判断し（ステップＳ１４）、回転ベゼル１３の操作が完了していない場合には（ステップＳ１４；Ｎｏ）、処理をステップＳ１２に移行して同様に処理を行う。また、ＭＰＵ１００は、回転ベゼル１３の操作が完了したと判断された場合には（ステップＳ１４；Ｙｅｓ）、潜水時間設定モードにおける処理動作を終了し、図７に示すステップＳ１の表示モードに設定する。この表示モードのとき、回転ベゼル１３がユーザにより回転操作されたとしても、表示パネル１２に表示されている目盛り部Ｘは、回転することなく表示パネル１２に固定された状態で表示される。これによって、ユーザによる回転ベゼル１３の誤操作により表示パネル１２に表示されている目盛り部Ｘが回転するのを防止することができる。尚、ダイバーが潜水時間を把握するための画像として、表示パネル１２に潜水時間を示す数字を表示するようにしてもよい。このとき、入力部４０において対応する操作子がユーザにより操作された場合に潜水時間の計時を開始し、表示パネル１２に潜水時間を示す数字を表示すればよい。
【００２４】
次に、回転表示設定モードに設定された場合について説明する。図１０は、回転表示設定モードに設定されたときの処理フローチャートである。また、図１１は、回転表示設定モードに設定されたときの表示態様の変化の説明図である。
ここで、腕時計型情報処理装置１０における表示パネル１２の初期状態は、表示状態ＳＴ２１に示すように、ダイバーが潜水時間を把握するための表示画像としての目盛り部Ｘ、及びアナログ時計の表示画像としての時計部Ｙの表示がなされているものとする。
ＭＰＵ１００は、回転ベゼル１３の操作量として回転方向及び回転量を測定する（ステップＳ２１）。
【００２５】
続いて、ＭＰＵ１００は、回転ベゼル１３の回転方向及び回転量に応じて表示パネル１２に表示されている画像全体の回転処理を行う（ステップＳ２２）。即ち、ＭＰＵ１００は、時計部Ｙの指針の回転軸（目盛り部Ｘのリングの中心）を回転中心Ｚ（図１１）として、回転ベゼル１３の回転方向及び回転量に応じて画像全体を回転表示させる。ここで、表示パネル１２の表示画像は、回転ベゼル１３の回転方向と同一回転方向、且つ、回転ベゼル１３の回転角と同一回転角で回転表示されるのが望ましい。つまり、回転ベゼル１３が時計回り方向に操作された場合、表示パネル１２の表示画像は、時計回り方向に回転ベゼル１３の回転角と同一回転角で、操作状態ＳＴ２１→操作状態ＳＴ２２→操作状態ＳＴ２３というように回転表示される。同様に、回転ベゼル１３が反時計回り方向に操作された場合、表示パネル１２の表示画像は、反時計回り方向に回転ベゼル１３の回転角と同一回転角で、操作状態ＳＴ２３→操作状態ＳＴ２２→操作状態ＳＴ２１というように回転表示される。これによって、回転ベゼル１３の回転に追従するように表示パネル１２の表示画像が回転表示されるので、ユーザはより一体的な操作感を得ることができる。この表示パネル１２の表示画像は、図１１に示した操作状態ＳＴ２１、ＳＴ２２、ＳＴ２３のみならず、回転ベゼル１３の回転方向及び回転量に応じて任意の回転位置に回転表示することができる。つまり、ユーザにとって見やすい位置に回転表示することができる。
【００２６】
次に、ＭＰＵ１００は、回転ベゼル１３の操作が完了したか否かを、回転ベゼル１３の操作が停止してからの経過時間、或いは、他のスイッチなどの操作状態に基づいて判断し（ステップＳ２３）、回転ベゼル１３の操作が完了していない場合には（ステップＳ２３；Ｎｏ）、処理をステップＳ２１に移行して同様に処理を行う。また、ＭＰＵ１００は、回転ベゼル１３の操作が完了したと判断された場合には（ステップＳ２３；Ｙｅｓ）、回転表示設定モードにおける画像の再配置の処理動作を終了し、図７に示すステップＳ１の表示モードに設定する。この表示モードのとき、回転ベゼル１３がユーザにより回転操作されたとしても、表示パネル１２の表示画像は、回転することなく表示パネル１２に固定された状態で表示される。これによって、ユーザによる回転ベゼル１３の誤操作により表示パネル１２の表示画像が回転するのを防止することができる。
【００２７】
以上、第１実施形態によれば、回転ベゼル１３の操作量を測定し、表示パネル１２に表示している画像全体を、回転ベゼル１３の操作量に応じて表示パネル１２に回転表示させるようにしたことにより、ユーザが腕時計型情報処理装置１０を腕に装着した際に、表示パネル１２に表示されている画像を正立した状態で視認するための腕を曲げる等の動作が必要なくなるので、表示パネル１２の表示画像を視認するためのユーザの負担を軽減させることができる。そして、腕を曲げる動作を行わなくても、表示パネル１２に表示されている画像を成立した状態で視認することができるので、表示パネル１２における表示画像が見やすくなり、表示画像の視認性を向上させることができる。
特に、ダイバーが潜水中に表示パネル１２に表示されている画像を正立した状態で視認するために腕を曲げる等の動作を行わなくてもよいので、水中動作による疲労を軽減させることができ、ダイバーの浮沈管理に悪影響を及ぼすことはない。
また、二輪車や四輪車等のドライバーが腕時計型情報処理装置１０を腕に装着した場合においては、走行中に瞬時に正立した状態で表示パネル１２の表示画像を視認することができるので、走行の安全性を保つことができる。
また、操作子として回転ベゼル１３を用いたことから、表示パネル１２に表示される表示画像をユーザが視認しやすい状態に回転させる際に、ユーザは単に回転ベゼル１３を回転操作するだけでよく、ユーザによる操作が容易となる。
【００２８】
［２］第２実施形態
以上の第１実施形態においては、回転ベゼルの操作量に応じて表示パネルの表示画像を回転させるものであるが、本第２実施形態は、更に、回転ベゼルの操作量に応じて表示パネルに表示している文字、記号或いは符号のデザインを変化させるものである。尚、以下第２実施形態において、上記第１実施形態と同様の構成部分については同一符号を付して説明を省略する。
図１２は、回転表示設定モードに設定されたときの処理フローチャートである。また、図１３は、回転表示設定モードに設定されたときの表示態様の変化の説明図である。ここで、表示パネル１２の初期状態は、表示状態ＳＴ３１に示すように、アワーマーカとしての１〜１２の数字のデザインは、ローマン体であるものとする。
【００２９】
ＭＰＵ１００は、回転ベゼル１３の操作量として回転方向及び回転量を測定する（ステップＳ３１）。続いて、ＭＰＵ１００は、回転ベゼル１３の回転方向及び回転量に応じて、表示パネル１２に表示されている画像全体の回転処理を行う（ステップＳ３２）。
更に、ＭＰＵ１００は、回転ベゼル１３の回転方向及び回転量に応じて、表示パネル１２に表示されている文字としてのアワーマーカ（１〜１２の数字）のデザインを変化させる処理を行う（ステップＳ３３）。つまり、ＭＰＵ１００は、回転ベゼル１３の回転方向及び回転量に応じて、表示パネル１２に表示されている文字のデザインとして文字の傾きを変化させる。具体的に説明すると、ＭＰＵ１００は、回転ベゼル１３の回転方向に応じて文字を傾かせる方向を設定し、回転ベゼル１３の回転量に応じた文字の傾き量で文字の傾きを設定する。これによって、回転ベゼル１３の回転とともに文字は徐々に傾くこととなる。そして、最終的にはＳＴ３２に示すような、視認可能な程度の斜体にまで傾きが変化する。尚、本第２実施の形態では、アワーマーカとしての全ての数字を回転ベゼル１３の操作量に応じて傾かせる場合について説明したが、アワーマーカとしての一部の数字を回転ベゼル１３の操作量に応じて傾かせるようにしてもよい。
【００３０】
次に、ＭＰＵ１００は、回転ベゼル１３の操作が完了したか否かを判断し（ステップＳ３４）、回転ベゼル１３の操作が完了していない場合には（ステップＳ３４；Ｎｏ）、処理をステップＳ３１に移行して同様に処理を行う。また、ＭＰＵ１００は、回転ベゼル１３の操作が完了したと判断された場合には（ステップＳ３４；Ｙｅｓ）、回転表示設定モードにおける画像の再配置の処理動作を終了し、図７に示すステップＳ１の表示モードに設定する。
以上、第２実施形態によれば、第１実施形態と同様の効果を奏し、更に、回転ベゼル１３の操作量に応じて表示画像が回転するとともに、文字、記号或いは符号のデザインが変化するので、興趣性が増す。
【００３１】
［３］第３実施形態
上記第２実施形態は、第１実施形態において、更に、回転ベゼルの操作量に応じて表示パネルに表示している文字、記号或いは符号のデザインを変化させるものであったが、本第３実施形態は、第１実施形態において、更に、回転ベゼルの操作量に応じて表示パネルに表示している文字、記号或いは符号のフォントを変化させるものである。尚、以下第３実施形態において、上記第１実施形態と同様の構成部分については同一符号を付して説明を省略する。
図１４は、回転表示設定モードに設定されたときの処理フローチャートである。また、図１５は、回転表示設定モードに設定されたときの表示態様の変化の説明図である。ここで、表示パネル１２の初期状態は、表示状態ＳＴ４１に示すように、アワーマーカとしての１〜１２の数字は、所定のフォントで表示されているものとする。
【００３２】
ＭＰＵ１００は、回転ベゼル１３の操作量として回転方向及び回転量を測定する（ステップＳ４１）。続いて、ＭＰＵ１００は、回転ベゼル１３の回転方向及び回転量に応じて、表示パネル１２に表示されている画像全体の回転処理を行う（ステップＳ４２）。
更に、ＭＰＵ１００は、回転ベゼル１３の回転方向及び回転量に応じて、表示パネル１２に表示されている文字としてのアワーマーカ（１〜１２の数字）のフォントを変化させる処理を行う（ステップＳ４３）。つまり、ＭＰＵ１００は、回転ベゼル１３の回転方向及び回転量に応じて、表示パネル１２に表示されているアワーマーカのフォントとして書体を変化させる。具体的に説明すると、ＭＰＵ１００は、回転ベゼル１３の回転方向が時計回り方向である場合には、回転ベゼル１３の回転量に応じて、表示しているアワーマーカの書体が表示状態ＳＴ４１→表示状態ＳＴ４２→表示状態ＳＴ４３というように、第１方向側に順次フォントとしての書体を変更する。また、ＭＰＵ１００は、回転ベゼル１３の回転方向が反時計回り方向である場合には、回転ベゼル１３の回転量に応じて、表示しているアワーマーカの書体が表示状態ＳＴ４３→表示状態ＳＴ４２→表示状態ＳＴ４１というように、第１方向とは逆の第２方向側に順次フォントとしての書体を変更する。尚、フォントとして書体を変化させる場合について説明したが、これに限るものではなく、書体、サイズ、スタイル、色のうち少なくとも一つを変化させるようにしてもよい。
【００３３】
次に、ＭＰＵ１００は、回転ベゼル１３の操作が完了したか否かを判断し（ステップＳ４４）、回転ベゼル１３の操作が完了していない場合には（ステップＳ４４；Ｎｏ）、処理をステップＳ４１に移行して同様に処理を行う。また、ＭＰＵ１００は、回転ベゼル１３の操作が完了したと判断された場合には（ステップＳ４４；Ｙｅｓ）、回転表示設定モードにおける画像の再配置の処理動作を終了し、図７に示すステップＳ１の表示モードに設定する。
以上、第３実施形態によれば、第１実施形態と同様の効果を奏し、更に、回転ベゼル１３の操作量に応じて表示画像が回転するとともに、文字、記号或いは符号のフォントが変化するので、興趣性が増す。
【００３４】
［４］第４実施形態
上記第３実施形態は、第１実施形態において、更に、回転ベゼルの操作量に応じて表示パネルに表示している文字、記号或いは符号のフォントを変化させるものであったが、本第４実施形態は、第１実施形態において、更に、表示パネルに画像としてアナログ時計を表示するに際し、回転ベゼルの操作量に応じて当該アナログ時計の指針の長さを変化させるものである。尚、以下第４実施形態において、上記第１実施形態と同様の構成部分については同一符号を付して説明を省略する。
図１６は、回転表示設定モードに設定されたときの処理フローチャートである。また、図１７は、回転表示設定モードに設定されたときの表示態様の変化の説明図である。
【００３５】
ＭＰＵ１００は、回転ベゼル１３の操作量として回転方向及び回転量を測定する（ステップＳ５１）。続いて、ＭＰＵ１００は、回転ベゼル１３の回転方向及び回転量に応じて、表示パネル１２に表示されている画像全体の回転処理を行う（ステップＳ５２）。
更に、ＭＰＵ１００は、回転ベゼル１３の回転方向及び回転量に応じて、表示させているアナログ指針の長さを変化させる処理を行う（ステップＳ５３）。
具体的には、回転ベゼル１３の回転方向が時計回り方向である場合、ＭＰＵ１００は、回転ベゼル１３の回転量に応じて指針縮小処理を行う。即ち、回転ベゼル１３の回転量に応じて、表示しているアナログ指針の長さを徐々に短くする（縮小）ようにされ、最終的には、表示状態ＳＴ５２で示すような状態となる。
一方、回転ベゼル１３の回転方向が反時計回り方向である場合、ＭＰＵ１００は、回転ベゼル１３の回転量に応じて指針伸長処理を行う。即ち、回転ベゼル１３の回転量に応じて、表示しているアナログ指針の長さを徐々に長くする（伸長）ようにされ、最終的には、表示状態ＳＴ５１で示すような状態となる。
【００３６】
次に、ＭＰＵ１００は、回転ベゼル１３の操作が完了したか否かを判断し（ステップＳ５４）、回転ベゼル１３の操作が完了していない場合には（ステップＳ５４；Ｎｏ）、処理をステップＳ５１に移行して同様に処理を行う。また、ＭＰＵ１００は、回転ベゼル１３の操作が完了したと判断された場合には（ステップＳ５４；Ｙｅｓ）、回転表示設定モードにおける画像の再配置の処理動作を終了し、図７に示すステップＳ１の表示モードに設定する。
以上、第４実施形態によれば、第１実施形態と同様の効果を奏し、更に、回転ベゼル１３の操作量に応じて表示画像が回転するとともに、表示されている指針の長さが変化するので、興趣性が増す。
【００３７】
［５］第５実施形態
上記第４実施形態は、第１実施形態において、更に、表示パネルに画像としてアナログ時計を表示するに際し、回転ベゼルの操作量に応じて当該アナログ時計の指針の長さを変化させるものであったが、本第５実施形態は、第１実施形態において、更に、表示パネルに画像としてアナログ時計を表示するに際し、回転ベゼルの操作量に応じて当該アナログ時計のアワーマーカの種類或いはアワーマーカの大きさを変化させるものである。尚、以下第５実施形態において、上記第１実施形態と同様の構成部分については同一符号を付して説明を省略する。
図１８は、回転表示設定モードに設定されたときの処理フローチャートである。また、図１９は、回転表示設定モードに設定されたときの表示態様の変化の説明図である。ここで、表示パネル１２の初期状態は、表示状態ＳＴ６１に示すように、アワーマーカとして１〜１２の数字を表示しているものとする。
【００３８】
ＭＰＵ１００は、回転ベゼル１３の操作量として回転方向及び回転量を測定する（ステップＳ６１）。続いて、ＭＰＵ１００は、回転ベゼル１３の回転方向及び回転量に応じて、表示パネル１２に表示されている画像全体の回転処理を行う（ステップＳ６２）。
更に、ＭＰＵ１００は、回転ベゼル１３の回転方向及び回転量に応じて表示パネル１２に表示されているアワーマーカの種類を変化させる処理を行う（ステップＳ６３）。即ち、ＭＰＵ１００は、回転ベゼル１３の回転方向が時計回り方向である場合、表示状態ＳＴ６２に示すように、アワーマーカを示す数字を記号に変化させる。一方、表示状態ＳＴ６２において、ＭＰＵ１００は、回転ベゼル１３の回転方向が反時計回り方向である場合、表示状態ＳＴ６１に示すように、アワーマーカを示す記号を数字に変化させる。尚、本第５実施形態では、表示状態ＳＴ６２において、アワーマーカの１２、３、６及び９の一部の数字を記号に変化させたが、これに限らず、全ての数字を記号に変化させてもよい。
【００３９】
ここで、ステップＳ６３において、ＭＰＵ１００は、回転ベゼル１３の回転方向及び回転量に応じて表示パネル１２に表示されているアワーマーカの大きさを変化させてもよい。図２０に回転表示設定モードに設定されたときの表示態様の変化を示す。即ち、ＭＰＵ１００は、回転ベゼル１３の回転方向が時計回り方向である場合、回転ベゼル１３の回転量に応じて、アワーマーカのサイズが徐々に大きくなるように表示させ、最終的には、表示状態ＳＴ７２に示すような大きさにまで変化させる。一方、表示状態ＳＴ７２において、ＭＰＵ１００は、回転ベゼル１３の回転方向が反時計回り方向である場合、回転ベゼル１３の回転量に応じて、アワーマーカのサイズが徐々に小さくなるように表示させ、最終的には、表示状態ＳＴ７１に示すような大きさにまで変化させる。尚、アワーマーカの大きさを変化させる処理は、視認性を損なわない程度の範囲内で行われる。
【００４０】
次に、ＭＰＵ１００は、回転ベゼル１３の操作が完了したか否かを判断し（ステップＳ６４）、回転ベゼル１３の操作が完了していない場合には（ステップＳ６４；Ｎｏ）、処理をステップＳ６１に移行して同様に処理を行う。また、ＭＰＵ１００は、回転ベゼル１３の操作が完了したと判断された場合には（ステップＳ６４；Ｙｅｓ）、回転表示設定モードにおける画像の再配置の処理動作を終了し、図７に示すステップＳ１の表示モードに設定する。
以上、第５実施形態によれば、第１実施形態と同様の効果を奏し、更に、回転ベゼル１３の操作量に応じて表示画像が回転するとともに、アワーマーカの種類或いはアワーマーカの大きさが変化するので、興趣性が増す。
【００４１】
［６］第６実施形態
以上の各実施形態においては、表示パネル１２にアナログ指針を表示するものであったが、本第６実施形態は、アナログ時計用ムーブメントを内蔵し、機械式アナログ時計の指針の背景側に表示パネル１２を配置するような構成としたものである。尚、以下第６実施形態において、上記第１実施形態と同様の構成部分については同一符号を付して説明を省略する。
図２１は、第６実施形態の腕時計型情報処理装置１０Ａの外観構成を示す図である。また、図２２は、第６実施形態の腕時計型情報処理装置１０Ａの機能的構成を示すブロック図である。
【００４２】
腕時計型情報処理装置１０Ａは、図２１に示すように、機械式アナログ時計の秒針８２Ａ、分針８２Ｂ及び時針８２Ｃからなる指針８２を有し、この指針８２の背景となる位置に表示パネル１２が配置されている。この指針８２は、金属製である。図２２において、ＭＰＵ１００Ａは、表示パネル１２の表示制御や、秒針モータ２０１、分針モータ２０２及び時針モータ２０３の駆動制御などの腕時計型情報処理装置１０Ａ全体の制御を行う。具体的に説明すると、ＭＰＵ１００Ａは、不図示の秒針モータ駆動回路、分針モータ駆動回路及び時針モータ駆動回路を備えている。そして、ＭＰＵ１００Ａにおける秒針モータ駆動回路は、計時結果に基づいて秒針８２Ａを回転駆動すべく、秒針モータ２０１及びこの秒針モータ２０１に結合した輪列を駆動する。また、ＭＰＵ１００Ａにおける分針モータ駆動回路は、計時結果に基づいて分針８２Ｂを回転駆動すべく、分針モータ２０２及びこの分針モータ２０２に結合した輪列を駆動する。また、ＭＰＵ１００Ａにおける時針モータ駆動回路は、計時結果に基づいて時針８２Ｃを回転駆動すべく、時針モータ２０３及びこの時針モータ２０３に結合した輪列を駆動する。
【００４３】
次に、第６実施形態における腕時計型情報処理装置１０Ａの動作について説明する。
動作モードが回転表示設定モードに設定されている場合、ＭＰＵ１００Ａは、表示パネル１２に画像として、アナログ時計のアワーマーカとしての１〜１２の数字を表示させ、回転ベゼル１３の操作量に応じて指針８２（図２１）の回転軸Ｚ’を中心に回転表示させる。ここで、アワーマーカは、回転ベゼル１３の回転方向と同一回転方向、且つ、回転ベゼル１３の回転角と同一回転角で回転表示されるのが望ましい。
そして、ＭＰＵ１００Ａは、回転ベゼル１３の操作が完了した場合、回転表示設定モードにおける画像の再配置の処理動作を終了し、アワーマーカの再配置位置に追従した位置に秒針８２Ａ、分針８２Ｂ、及び時針８２Ｃを回転駆動すべく、各モータ２０３、２０４、２０５及び各モータ２０３、２０４、２０５に結合した輪列を駆動する。ここで、アワーマーカの再配置位置に追従した位置とは、指針８２が現在の時刻を指し示す位置である。
【００４４】
以上、本第６実施形態によれば、第１実施形態と同様の効果を奏するものである。また、本第６実施形態によれば、秒針８２Ａ、分針８２Ｂ、時針８２Ｃがそれぞれ別モータで駆動されるので、表示パネル１２におけるアワーマーカの回転に伴う秒針８２Ａ、分針８２Ｂ及び時針８２Ｃの回転駆動に要する時間を短縮することができる。また、秒針８２Ａ、分針８２Ｂ及び時針８２Ｃの回転駆動に要する消費電力を低減することができる。
【００４５】
［７］第７実施形態
以上の各実施形態においては、操作子として回転ベゼルを用いる場合を例として説明したが、操作子としてはこれに限られるものではない。本第７実施形態においては、操作子として、りゅうずを用いる場合の実施形態である。
図２３は、第７実施形態の腕時計型情報処理装置の部分断面図である。
腕時計型情報処理装置１０Ｂには、りゅうず支持部７１に回転可能な状態で指示されたりゅうず７２が設けられている。
このりゅうず７２のケース１１Ａ内には、ロータリーエンコーダ７３を構成する透光溝が形成された円形パネル７３Ａが取り付けられている。そして、円形パネル７３Ａに対応する位置には、ＬＥＤ及びフォトディテクタが一体に配置され、ロータリーエンコーダ７３を構成する光センサユニット７３Ｂが配置されている。この光センサユニット７３Ｂは、第１実施形態におけるセンサユニット３７Ａ、３７Ｂと同様の機能を有しており、りゅうず７２の回転に伴って、その回転方向、回転量、回転速度などを検出するように構成されている。
従って、本第７実施形態によれば、操作子としてりゅうず７２及びりゅうず７２の操作状態検出のためにロータリーエンコーダ７３を用いることにより、第１実施形態と同様の効果を得ることができる。
【００４６】
［５］変形例
［５．１］第１変形例
以上の説明においては、表示パネル１２における表示画像を回転させるに際し、操作子（回転ベゼル或いはりゅうず）の回転量及び回転方向に基づいて回転表示させていたが、回転速度に基づいて、例えば、ある回転速度以上或いはある回転速度以下の場合にのみ、回転表示するように構成することも可能である。
［５．２］第２変形例
以上の説明においては、腕時計型情報処理装置が時計として機能する場合について説明したが、ストップウォッチとして機能する場合についても適用可能である。この場合、上記第６実施形態において、アワーマーカの再配置位置に追従した位置とは、指針８２が現在の経過時間を指し示す位置である。
［５．３］第３変形例
以上の説明においては、腕時計型情報処理装置として、時計の場合について説明したが、コンピュータ（ノート型、ＰＤＡ型などを含む）、携帯電話機、ラジオ、オーディオ装置などであってもよい。
また、時計として構成する場合も、腕時計型、ネックレス、指輪などのアクセサリ型のほか、懐中時計、置時計など様々な態様が考えられる。
【００４７】
【発明の効果】
本発明によれば、表示部の表示画像を視認するためのユーザの負担を軽減させることができ、表示部における表示画像の視認性を向上させることができる。
【図面の簡単な説明】
【図１】第１実施形態の腕時計型情報処理装置の外観構成を示す図である。
【図２】腕時計型情報処理装置から回転ベゼルを取り外した状態を示す図である。
【図３】図２におけるＡ−Ａ’線の断面の一部を示す図である。
【図４】光学パターンの構成を示す図である。
【図５】センサユニットの検出信号を模式的に示す図である。
【図６】腕時計型情報処理装置の機能的構成を示すブロック図である。
【図７】動作モードの遷移状態を示す説明図である。
【図８】潜水時間設定モード設定時の処理フローチャートである。
【図９】潜水時間設定モード設定時の表示態様の変化の説明図である。
【図１０】回転表示設定モード設定時の処理フローチャートである。
【図１１】回転表示設定モード設定時の表示態様の変化の説明図である。
【図１２】第２実施形態における回転表示設定モード設定時の処理フローチャートである。
【図１３】第２実施形態における回転表示設定モード設定時の表示態様の変化の説明図である。
【図１４】第３実施形態における回転表示設定モード設定時の処理フローチャートである。
【図１５】第３実施形態における回転表示設定モード設定時の表示態様の変化の説明図である。
【図１６】第４実施形態における回転表示設定モード設定時の処理フローチャートである。
【図１７】第４実施形態における回転表示設定モード設定時の表示態様の変化の説明図である。
【図１８】第５実施形態における回転表示設定モード設定時の処理フローチャートである。
【図１９】第５実施形態における回転表示設定モード設定時の表示態様の変化の説明図である。
【図２０】第５実施形態における回転表示設定モード設定時の表示態様の変化の説明図である。
【図２１】第６実施形態の腕時計型情報処理装置の外観構成を示す図である。
【図２２】第６実施形態の腕時計型情報処理装置の機能的構成を示すブロック図である。
【図２３】第７実施形態の腕時計型情報処理装置の部分断面図である。
【符号の説明】
１０，１０Ａ，１０Ｂ…腕時計型情報処理装置、１１…ケース、１１Ａ…ケース本体、１１Ｂ…カバーガラス、１１Ｃ…裏蓋、１２…表示パネル（表示部）、１３…回転ベゼル（操作子）、１４…バンド、３７Ａ，３７Ｂ…センサユニット、１００，１００Ａ…ＭＰＵ、１０１…ＲＯＭ、１０２…ＲＡＭ、１１１…発振回路、１１２…分周回路、１１３…時計用カウンタ、１１８…波形整形回路、１１９…回転情報生成ユニット。
【図１】
2005017011.tif 000003
【図２】
2005017011.tif 000004
【図３】
2005017011.tif 000005
【図４】
2005017011.tif 000006
【図５】
2005017011.tif 000007
【図６】
2005017011.tif 000008
【図７】
2005017011.tif 000009
【図８】
2005017011.tif 000010
【図９】
2005017011.tif 000011
【図１０】
2005017011.tif 000012
【図１１】
2005017011.tif 000013
【図１２】
2005017011.tif 000014
【図１３】
2005017011.tif 000015
【図１４】
2005017011.tif 000016
【図１５】
2005017011.tif 000017
【図１６】
2005017011.tif 000018
【図１７】
2005017011.tif 000019
【図１８】
2005017011.tif 000020
【図１９】
2005017011.tif 000021
【図２０】
2005017011.tif 000022
【図２１】
2005017011.tif 000023
【図２２】
2005017011.tif 000024
【図２３】
2005017011.tif 000025